(57)【要約】【課題】  段ボール製容器にプラスチックフィルムを敷いて物品を収納する場合、プラスチックシートと段ボールとの間で滑りが生じ易く、容器の中で収納物品が片寄ってしまう。【解決手段】  底部にプラスチックフィルムを敷設して物品を収納する段ボール製容器において、該段ボール製容器の底部に載置することにより、その上面に敷設したプラスチックフィルムを係合させるもので、対向する辺に切込により形成し、これらの端部間長さが該段ボール製容器の内法長さより長く、該辺より突出させた支持片を備えた底パッドを設ける。【選択図】    図１
2006089056.tif 000002
【特許請求の範囲】
【請求項１】
底部にプラスチックフィルムを敷設して物品を収納する段ボール製容器において、該段ボール製容器の底部に載置することにより、その上面に敷設したプラスチックフィルムを係合させるもので、対向する辺に切込により形成し、これらの端部間長さが該段ボール製容器の内法長さより長く、該辺より突出させた支持片を備えた底パッドを設けたことを特徴とする段ボール製収納容器。
【請求項２】
段ボール製容器は、支持片の先端に対向する面に、これを挿通させる係止孔を設けたものである請求項１記載の段ボール製収納容器。
【請求項３】
底パッドは、支持片を設けた辺に該支持片以上に突出させた固定片を設けたものである請求項１又は２記載の段ボール製収納容器。
【発明の詳細な説明】
【技術分野】
【０００１】
本発明は、段ボール製容器の底面にプラスチックフィルムを敷いて物品を収納する場合において、該プラスチックフィルムのズレを防ぎ、収納物品の片寄りを防止する収納容器の改良に関するものである。
【背景技術】
【０００２】
例えば、うどん、そばなどの生麺を生産者から飲食店などに配送するには、段ボール製容器が広く利用されている。この場合、衛生上の問題などから段ボール製容器の底面にプラスチックフィルムを敷いて生麺を収納する方法が採られている。このような収納手段は、生麺の他、餃子、生菓子、ピザ若しくはこれらの生地などを、店舗内や工場内で移送・保管する場合にも行われている。
【発明の開示】
【発明が解決しようとする課題】
【０００３】
しかしながら、容器にプラスチックフィルムを敷いて柔らかく変形しやすい食材を収納する方法では、図７（ａ）の状態から（ｂ）のように、段ボール容器７とプラスチックフィルム８との間で滑りが生じ、容器の中で収納物品が片寄ってしまう問題が生じる。収納物品に片寄りが生じると、物品同士がくっついたり変形することに繋がり、並べ替えの手間や商品価値の低下に至ることになる。
【課題を解決するための手段】
【０００４】
そこで本発明者は上記問題に鑑み鋭意研究の結果、本発明を成し得たものでありその特徴とするところは、底部にプラスチックフィルムを敷設して物品を収納する段ボール製容器において、該段ボール製容器の底部に載置することにより、その上面に敷設したプラスチックフィルムを係合させるもので、対向する辺に切込により形成し、これらの端部間長さが該段ボール製容器の内法長さより長く、該辺より突出させた支持片を備えた底パッドを設けたことにある。
【０００５】
ここで、本明細書中でいう「段ボール製容器」とは、段ボールを折曲することによって組み立てた容器をいう。大きさ、形状、構造は特に限定するものではなく、矩形状底面の周囲４面に周面を設けた容器状の構造であればよい。
【０００６】
「底パッド」とは、段ボール製容器の底部に載置する板状部材であり、この上面に敷いたプラスチックフィルムを係合支持させるものをいう。本発明では、底パッドの対向する辺に支持片を設けて該プラスチックフィルムを係合させる。この支持片は、辺端部から内方に向かって設けた切込によって形成したもので、これを起こして裏面側にプラスチックフィルムを介在させ、この状態で元に戻すことによって該プラスチックフィルムを挟み込んで固定する。
【０００７】
本発明においては、各支持片を、その先端が突出するように設けている。これは、対向する辺に設けた支持片の端部間の長さを、段ボール製容器の内法長さより長くすることにより、底パッドを段ボール製容器の底部にセットするとき、支持片の先端部を段ボール製容器の内周面に干渉させて、自動的に起き上がった状態にするためである。これにより、プラスチックフィルムを敷くときに支持片を引き上げる手間が省ける。
【０００８】
プラスチックフィルムとしては、例えばポリエチレンやポリプロピレンなどである。プラスチックフィルムは、支持片を形成する切込に挟み込むことによって固定する構造であることから、挟み込んだ後は該支持片が起き上がらないように保持させるのが好ましい。この点、本発明では底パッドの対向する辺に設けた支持片の端部間の長さが段ボール製容器の内法長さより長くなるように、辺から突出させているため、強固に保持させることができる。これをより確実にするには、段ボール製容器の周面に係止孔を設け、支持片の先端部を挿通させて、上方への移動を規制させるようにすればよい。
【０００９】
また、段ボール製容器に装着したときに底パッド自体の浮き上がりを防止することを目的として、支持片より突出させた固定片を設けるのが好ましい。固定片も上述したような係止孔などに挿通させるようにしてもよい。
【００１０】
底パッドは、単なる板状とする他、複数の折罫により折曲して仕切を設けてもよい。この場合、支持片や固定片を係止孔に挿通させて横方向の動きを規制させるようにすれば、仕切としての形態保持や位置決めを図ることができる。
【発明の効果】
【００１１】
本発明に係る段ボール製収納容器は、底部にプラスチックフィルムを敷設して物品を収納する段ボール製容器において、対向する辺に、切込により形成し、端部間長さが段ボール製容器の内法長さより長くした支持片を備えた底パッドを設けたことにより、敷設した該プラスチックフィルムの固定作業を極めて簡単にすることができ、しかもその固定を確実に行えるなど極めて有益な効果を奏する。
【発明を実施するための最良の形態】
【００１２】
対向する辺に切込により形成し、これらの端部間長さが段ボール製容器の内法長さより長く、該辺より突出させた支持片を備えた底パッドを設けたことにより、該段ボール製容器の底部に敷設するプラスチックフィルムの固定作業を簡易にする。
【実施例１】
【００１３】
図１は、本発明に係る段ボール製収納容器１の一実施例を示し、段ボール製容器２と、その底部に載置する底パッド３より構成している。本例の段ボール製容器２は、蓋と身より成るいわゆるＣ型段ボールケースにおける身の部分である。底パッド３は、対向する両辺にそれぞれ２つずつ切込４１によって形成した支持片４を設けている。支持片４は、底パッド３本体の辺端部より約３mm程度突出させており、且つ両辺に設けた支持片４の端部間長さを段ボール製容器２の内法長さより約５mm程度長くしている。
【００１４】
この底パッド３を段ボール製容器２の底部に装着すると、図２のように各支持片４の先端部が該段ボール製容器２の内周面に引っ掛かり、自動的に起き上がった状態になる。この状態でプラスチックフィルム５を敷き［図３（ａ）］、該フィルム５の上から同図（ｂ）のように指で支持片４をさらに起こして、その裏面側にフィルム５を位置させる。そして、同図（ｃ）のように支持片４を押し込むことにより、フィルム５を挟み込んで固定することができる。
【実施例２】
【００１５】
固定したフィルム５が支持片４から容易に外れないようにするためには、図４のように段ボール製容器２の内周面に係止孔２１を設けることによって対処することができる。この係止孔２１に支持片４の先端部を挿通させることにより、支持片４を起き上がりにくくし、フィルム５の固定が確実となる。
【実施例３】
【００１６】
このように、段ボール製収納容器１は、図５のように底部に敷設したプラスチックフィルム５を簡単確実に固定させることができ、収納した物品が搬送時に移動して片寄りが生じるのを防止することができる。本例の底パッド３は、折曲により形成した仕切３１を設けた例を示しており、また、支持片４の側部に辺端部より５mm程度突出させた固定片６を設けている。
【実施例４】
【００１７】
図６は、図５に示した段ボール製収納容器１のブランクシートであり、蓋２２と身２３より構成したＣ型段ボールケースを段ボール製容器２としている。底パッド３は、支持片４の他、底パッド３の浮き上がりを防止するため、該支持片４よりさらに２mm程度突出させた固定片６を設けている。身２３には、支持片４及び固定片６の先端部を挿通させるための係止孔２１を設けている。
【図面の簡単な説明】
【００１８】
【図１】本発明に係る段ボール製収納容器の一実施例を示す分解斜視図である。（実施例１）
【図２】底パッドを段ボール製容器に装着したときに、該底パッドに設けた支持片が起き上がった状態を示す斜視図である。
【図３】（ａ）（ｂ）（ｃ）は、底パッドを装着した段ボール製収納容器にプラスチックシートを敷いて支持片で固定する状態を示す部分断面図である。
【図４】段ボール製容器の内周面に係止孔を設けて支持片を係合させる状態を示す部分断面図である。（実施例２）
【図５】本発明に係る段ボール製収納容器にプラスチックシートを敷いて固定した状態を示す斜視図である。（実施例３）
【図６】本発明に係る段ボール製収納容器の他の実施例を示すブランクシートであり、（ａ）は蓋、（ｂ）は身、（ｃ）は底パッドの平面図である。（実施例４）
【図７】（ａ）は段ボール製容器にプラスチックフィルム敷いて物品を収納した状態の従来例を示す斜視図、（ｂ）は収納した物品に片寄りが生じた状態を示す斜視図である。
【符号の説明】
【００１９】
１  段ボール製収納容器
２  段ボール製容器
２１  係止孔
２２  蓋
２３  身
３  底パッド
３１  仕切
４  支持片
４１  切込
５  プラスチックフィルム
６  固定片
【図１】
2006089056.tif 000003
【図２】
2006089056.tif 000004
【図３】
2006089056.tif 000005
【図４】
2006089056.tif 000006
【図５】
2006089056.tif 000007
【図６】
2006089056.tif 000008
【図７】
2006089056.tif 000009